(57)【要約】【課題】キャビネット本体に配置した引出しの支持に、押込み阻止用ロック装置の無い汎用のスライドレールを使用できるようにする。【解決手段】キャビネット本体２と、キャビネット本体２に手前へ引出し可能に配置した引出し３と、キャビネット本体２の側板２ａ（又は２ｂ）と引出し３の側板３ａ（又は３ｂ）との間に設けられて引出しを支持するスライドレール４（４）と、引出し３を引出した状態に保持する押込み阻止用ロック装置５とを備え、押込み阻止用ロック装置５は、スライドレール４と別体に形成され、キャビネット本体２の側板２ａ（又は２ｂ）と引出し３の側板３ａ（又は３ｂ）との間にスライドレール４と並んだ状態で設けられ、引出し３が引き出し限界位置Ａに達したときには、ロック状態を解除するためのロック解除操作部１４ｄを操作可能に露出すること。【選択図】図２
2006346156.tif 000002
【特許請求の範囲】
【請求項１】
キャビネット本体と、キャビネット本体に手前へ引出し可能に配置した引出しと、キャビネット本体の側板と引出しの側板との間に設けられて引出しを支持するスライドレールと、引出しを引出した状態に保持する押込み阻止用ロック装置とを備えた引出し付きキャビネットにおいて、前記押込み阻止用ロック装置は、スライドレールと別体に形成され、前記キャビネット本体の側板と引出しの側板との間に設けられていることを特徴とする引出し付きキャビネット。
【請求項２】
前記押込み阻止用ロック装置は、前記引出しの側板に取着したロック部材と、前記キャビネット本体の側板に取着したストツパとを別体に備え、該ロック部材は、前記引出しの側板に取着した支持部材と、該支持部材に上下揺動自在に軸支されて自重で奥側の一方の係合部を係合方向へ付勢する揺動部材とを有し、該ストツパは、前記引出しが引き出されているときに該揺動部材を非係合状態に案内すると共に、前記引出しが引出し限界位置に達したときに該案内を解除する案内部と、該案内の解除に伴い自重で係合方向へ揺動する揺動部材の一方の係合部を係合させる他方の係合部とを形成した請求項１記載の引出し付きキャビネット。
【請求項３】
前記ロック部材は、前記揺動部材に設けた長孔部に、前記支持部材から突設する揺動規制ピンを挿通させ、該揺動規制ピンの先端に設けた鍔部と前記支持部材とで該長孔部の周縁を挟んだ請求項２記載の引出し付きキャビネット。
【請求項４】
前記ロック部材は、前記揺動部材の係合方向を上方へ向け、前記揺動部材の手前側に形成したロック解除操作部が自重に抗して持ち上げられることにより前記揺動部材を非係合状態へ揺動させるようにした請求項２又は３記載の引出し付きキャビネット。
【請求項５】
前記引出しは、下面側に、前記キャビネット本体の設置床面に当接するキャスターが設けられ、上面側に踏み板が設けられた請求項１，２，３又は４記載の引出し付きキャビネット。
【発明の詳細な説明】
【技術分野】
【０００１】
本発明は、引出しの押込み阻止用ロック装置を備えた引出し付きキャビネットに関するものである。
【背景技術】
【０００２】
従来の引出し付きキャビネットは、キャビネット本体と、キャビネット本体に手前へ引出し可能に配置した引出しと、対向するキャビネット本体の側板と引出しの側板との間に設けられて引出しを支持するスライドレールとを備え、スライドレールに、引出しを引出した状態に保持する押込み阻止用ロック装置を組み込んである。（特許文献１）
【特許文献１】特開２００４−２９８４３３公報
【発明の開示】
【発明が解決しようとする課題】
【０００３】
しかし、従来の引出し付きキャビネットは、押込み阻止用ロック装置を組み込んだ特別構造のスライドレールが必要となり、押込み阻止用ロック装置の無い汎用のスライドレールを使用できない問題がある。そこで、本発明は、問題解決のために、押込み阻止用ロック装置の無い汎用のスライドレールを使用できる引出し付きキャビネットの提供を目的とする。
【課題を解決するための手段】
【０００４】
押込み阻止用ロック装置の無い汎用のスライドレールを使用できるようにするために請求項１記載の本発明が採用した手段は、キャビネット本体と、キャビネット本体に手前へ引出し可能に配置した引出しと、キャビネット本体の側板と引出しの側板との間に設けられて引出しを支持するスライドレールと、引出しを引出した状態に保持する押込み阻止用ロック装置とを備えた引出し付きキャビネットにおいて、前記押込み阻止用ロック装置は、スライドレールと別体に形成され、前記キャビネット本体の側板と引出しの側板との間に設けられていることを特徴とする引出し付きキャビネットである。なお、前記押込み阻止用ロック装置は、引出しが引き出し限界位置に達したときに、ロック状態を解除するためのロック解除操作部を操作可能に露出するように構成することもある。
【０００５】
押込み阻止用ロック装置の構造が簡単で取付けを容易にするために請求項２記載の本発明が採用した手段は、前記押込み阻止用ロック装置は、前記引出しの側板に取着したロック部材と、前記キャビネット本体の側板に取着したストツパとを別体に備え、該ロック部材は、前記引出しの側板に取着した支持部材と、該支持部材に上下揺動自在に軸支されて自重で奥側の一方の係合部を係合方向へ付勢する揺動部材とを有し、該ストツパは、前記引出しが引き出されているときに該揺動部材を非係合状態に案内すると共に、前記引出しが引出し限界位置に達したときに該案内を解除する案内部と、該案内の解除に伴い自重で係合方向へ揺動する揺動部材の一方の係合部を係合させる他方の係合部とを形成した請求項１記載の引出し付きキャビネットである。
【０００６】
押込み阻止用ロック装置の円滑な動作を確保するために請求項３記載の本発明が採用した手段は、前記ロック部材は、前記揺動部材に設けた長孔部に、前記支持部材から突設する揺動規制ピンを挿通させ、該揺動規制ピンの先端に設けた鍔部と前記支持部材とで該長孔部の周縁を挟んだ請求項２記載の引出し付きキャビネットである。
【０００７】
操作性の向上を図るために請求項４記載の本発明が採用した手段は、前記ロック部材は、前記揺動部材の係合方向を上方へ向け、前記揺動部材の手前側に形成したロック解除操作部が自重に抗して持ち上げられることにより前記揺動部材を非係合状態へ揺動させるようにした請求項２又は３記載の引出し付きキャビネットである。
【０００８】
安全な踏み台を提供するために請求項５記載の本発明が採用した手段は、前記引出しは、下面側に、前記キャビネット本体の設置床面に当接するキャスターが設けられ、上面側に踏み板が設けられた請求項１，２，３又は４記載の引出し付きキャビネットである。
【発明の効果】
【０００９】
請求項１記載の本発明に係る引出し付きキャビネットは、押込み阻止用ロック装置とスライドレールとが別体に形成されているので、押込み阻止用ロック装置の無い汎用のスライドレールを使用できる。また、キャビネット本体の側板と引出しの側板との間にスライドレールの厚み寸法分だけ空間があり、この空間に押込み阻止用ロック装置を設けたので、キャビネットや引出しに、押込み阻止用ロック装置を設けるための特別な構造をとる必要がなく押込み阻止用ロック装置を容易に取付けることが可能となる。
【００１０】
請求項２記載の本発明に係る引出し付きキャビネットは、支持部材に揺動部材を軸支したロック部材と、案内部及び他方の係合部を形成したストツパとで押込み阻止用ロック装置を構成することで、押込み阻止用ロック装置の構造を簡単にできると共に、これらロック部材とストツパとを別体にして個々に取付け可能とすることで押込み阻止用ロック装置の取付けを容易とすることができる。また、本発明に係る引出し付きキャビネットは、ロック部材及びストツパの取付けに際して、ロック部材の揺動部材の揺動方向へ多少の取付け誤差があったとしても、揺動部材の揺動範囲内で確実に係合させることが可能なため、取付けが容易である。
【００１１】
請求項３記載の本発明に係る引出し付きキャビネットは、揺動部材が、長孔部の周縁を挟む揺動規制ピンの先端の鍔部と支持板とで案内されて、非係合状態から係合状態まで円滑に揺動するので、押込み阻止用ロック装置の円滑な動作を確保することができる。
【００１２】
請求項４記載の本発明に係る引出し付きキャビネットは、ロック解除操作部を持ち上げる簡単な操作でロック解除操作ができるので、操作性の向上が図れる。
【００１３】
請求項５記載の本発明に係る引出し付きキャビネットは、踏み板が設けられた引出しを踏み台として利用するとき、押込み阻止用ロック装置で引出し限界位置に保持され且つ設置床面にキャスターが当接するので、引出しの踏み板に乗っても押し込み方向や上下方向へ移動することもなく、安全に利用することができる。
【発明を実施するための最良の形態】
【００１４】
本発明に係る引出し付きキャビネット（以下、「本発明キャビネット」と言う。）を図面に示す実施形態に基づいて説明する。
【００１５】
（第１の実施の形態）
図１乃至図５は本発明キャビネットの第１の実施の形態を示すものであり、図１は正面図、図２は手前の引き出し限界位置Ａまで引出しを引き出した状態を部分破断して示す右側面図、図３は引出し３の引き出し途中の状態を部分破断して示す右側面図、図４は引出し３を格納位置Ｂまで押し込んだ状態を部分破断して示す右側面図、図５は押込み阻止用ロック装置５を拡大して示すものであって、（Ａ）は平面図、（Ｂ）は右側面図、（Ｃ）は（Ｂ）のｃ−ｃ線における拡大断面図、（Ｄ）は（Ｂ）のｄ−ｄ線における拡大断面図である。
【００１６】
本発明キャビネット１は、図１及び図２に示す如く、キャビネット本体２と、キャビネット本体２に配置され手前へ引出し可能な引出し３と、キャビネット本体２の側板２ａ（又は２ｂ）と引出し３の側板３ａ（又は３ｂ）との間に設けられて引出し３を支持するスライドレール４（４）と、引出し３を引出した状態に保持する押込み阻止用ロック装置５（５）とを備えている。キャビネット本体２は、洗面化粧台、流し台、調理台又はキッチン用収納庫等を構成するものに適用される。キャビネット本体２は、引出し３の上方に、手前へ引出し可能な引出し２０又は収納棚等が設けられている。
【００１７】
前記引出し３は、左右の側板３ａ，３ｂと前板３ｃと後板３ｄと底板３ｅとを有し、底板３ｅの下面に複数個のキャスター６が取付けられ、後板３ｅに踏み板７が開閉自在にヒンジ８，８で連結されている。引出し３は、後板３ｅと踏み板７との間に踏み板７の開き状態を維持させるための保持具９が設けられ、踏み板７の手前を上方へ持ち上げて開くと、内側が収納部３ｆとなっている。引出し３は、把手１０が設けられ、把手１０を利用して前後方向へ押し引きすることで、キャビネット本体２の内側の奥まで押し込んで格納する格納位置Ｂ（図４参照）からキャビネット本体２の手前に露出する引出し限界位置Ａ（図２参照）までの間を、スライドレール４（４）に支持されて移動するようになっており、引出し限界位置Ａがスライドレール４（４）の支持できる限界で決定するようになっている。
【００１８】
前記左右の各スライドレール４は、図２に示す如く。キャビネット本体２の側板２ａ（２ｂ）に固定される固定レール４ａと、固定レール４ａに引出し可能に取付けられる中間レール４ｂと、中間レール４ｂに引出し可能に取付けられ、引出し３の側板３ａ（又は３ｂ）に固定される支持レール４ｃとで構成され、押込み阻止用ロック装置を組み込んでいない汎用品が選択される。
【００１９】
前記左右の各押込み阻止用ロック装置５は、図１及び図２に示す如く、スライドレール４と別体に形成され、キャビネット本体２の側板２ａ（又は２ｂ）と引出し３の側板３ａ（又は３ｂ）との間にスライドレール４と並んだ状態で設けられ、引出し３が手前の引き出し限界位置Ａに達したとき自動的にロック状態となるように構成され、引出し３の押込みを阻止して引出した状態を保持するようにしてある。各押込み阻止用ロック装置５は、引出し３を引き出し限界位置Ａまで引き出したとき、ロック状態を解除するためのロック解除操作部１４ｄを操作可能に露出するようになっている。前記スライドレール４は、押込み阻止用ロック装置５と別体に設けられているので、押込み阻止用ロック装置の無い汎用品を使用できる。
【００２０】
前記各押込み阻止用ロック装置５は、図１及び図５（Ａ）に示す如く、キャビネット本体２の側板２ａ（又は２ｂ）から引出し３の側板３ａ（又は３ｂ）へ向かう方向の取付け厚み寸法Ｗが、スライドレール４の同方向の取付け厚み寸法Ｗと同一になるようにしてある。本発明キャビネット１は、押込み阻止用ロック装置５及びスライドレール４の厚み寸法を同一とすることで、キャビネット本体２の側板２ａ（又は２ｂ）と引出し３の側板３ａ（又は３ｂ）との間に、厚み調整板等を用いること無く両者５，４を配設することができ、両者５，４の取付け作業が容易となる。
【００２１】
前記各押込み阻止用ロック装置５は、図２及び図５に示す如く、引出し３の側板３ａ（又は３ｂ）に取着したロック部材１１と、キャビネット本体２の側板２ａ（又は２ｂ）に取着したストッパ１２とを別体に備えている。ロック部材１１は、引出し３の側板３ａ（又は３ｂ）にビス１５等で取着した板状の支持部材１３と、支持部材１３に上下揺動自在に支持軸１６で軸支されて自重で奥側の一方の係合部１４ａを係合方向である上方へ付勢する揺動部材１４とを有している。本例の揺動部材１４は、板材の上辺側折り曲げてＬ字状に形成することで、剛性を大きくしてある。支持部材１３，支持軸１６及び揺動部材１４は、ステンレススチール等の金属素材で形成して、過酷な使用に耐えれるようにしてある。
【００２２】
前記ロック部材１１は、図５に示す如く、揺動部材１４に設けた軸受孔１４ｃに、支持部材１３から突設する支持軸１６を挿通させ、支持軸１６の先端に設けた鍔部１６ａと支持部材１３とで軸受孔１４ｃの周縁を挟むようにすると共に、同様に、揺動部材１４に設けた揺動範囲規制用の長孔１４ｂに、支持部材１３から突設する揺動規制ピン１８を挿通させ、揺動規制ピン１８の先端に設けた鍔部１８ａと支持部材１３とで長孔１４ｂの周縁を挟むようにして、揺動部材１４が振れることなく非係合状態Ｄ（図３参照）から係合状態Ｃ（図２参照）まで円滑に揺動するように構成してある。ロック部材１１は、揺動部材１４と支持部材１３との間に、支持軸１６や揺動規制ピン１８に外嵌するステンレススチール製や合成樹脂製等の平ワッシャ１９を配置して、円滑に揺動するようにしてある。また、ロック部材１１は、揺動部材１４の手前側に棒材等からなるロック解除操作部１４ｄが突設され、ロック解除操作部１４ｄを使用者の指先で自重に抗して持ち上げることにより、揺動部材１４を非係合状態へ向かって揺動するようになっている。このようにロック部材１１は、ロック解除操作部１４ｄを持ち上げる簡単な操作でロック解除操作ができるようにすることで、操作性の向上を図っている。
【００２３】
上記ストッパ１２は、図５（Ａ）（Ｂ）及び図３に示す如く、引出し３が手前へ引き出されているときに揺動部材１４を非係合状態で案内すると共に、引出し３が引出し限界位置Ａに達したとき（図２参照）に該案内を解除する案内部１２ｂと、該案内の解除に伴い自重で係合方向へ揺動する揺動部材１４の一方の係合部１４ａを係合させる他方の係合部１２ａとを形成したものである。ストッパ１２は、案内部１２ｂを合成樹脂製とすることで、非係合状態の揺動部材１４を摺動案内するときの騒音を小さくし、また、他方の係合部１２ａを金属製とすることで、引出し３が無理に押し込まれて揺動部材１４の一方の係合部１４ａを衝突させても破損しないようにしてある。ストッパ１２は、本例の場合、キャビネット本体２の側板２ａ（又は２ｂ）にビス１５等を用いて取着される。
【００２４】
本発明キャビネット１は、前述の如く、支持部材１３に揺動部材１４を軸支したロック部材１１と、案内部１２ｂ及び他方の係合部１２ａを形成したストッパ１２とで押込み阻止用ロック装置５を構成することで、押込み阻止用ロック装置５の構造を簡単にできると共に、これらロック部材１１とストッパ１２とを別体にして個々に取付け可能とすることで押込み阻止用ロック装置５の取付けを容易にすることができる。また、押込み阻止用ロック装置５は、ロック部材１１及びストッパ１２の取付けに際して、ロック部材１１の取付けについて揺動部材１４の揺動方向へ多少の誤差があったとしても、揺動部材１４の揺動範囲内で確実に係合させることが可能なため、取付けが容易である。
【００２５】
次に、本発明キャビネット１の動作を説明する。引出し３を使用しないときには、図４に示す如く、引出し３をキャビネット本体２の内側の格納位置Ｂまで押し込んで格納しておく。このとき、押込み阻止用ロック装置５のロック部材１１は、自重で揺動した揺動部材１４が、奥側の一方の係合部１４ａを上方へ移動させて待機状態となっている。
【００２６】
引出し３を使用するとき、使用者は、引出し３を手前へ引出し、図３に示す途中の状態を経て図２に示すように、キャビネット本体２の手前に露出させる引出し限界位置Ａ（図２参照）まで移動させる。引き出す引出し３と共に手前へ移動する押込み阻止用ロック装置５のロック部材１１は、固定しているストッパ１２の案内部１２ｂに揺動部材１４を当接させつつ奥側の係合部１４ａを下方へ揺動させて図３に示す状態となり、ストッパ１２の案内部１２ｂに揺動部材１４を摺動案内させて非係合状態を維持する。図２に示すように引出し３が引出し限界位置Ａに達したならば、ロック部材１１は、固定しているストッパ１２の案内部１２ｂによる案内が解除され、自重で係合方向へ自動的に揺動する揺動部材１４の係合部１４ａが、ストッパ１２の係合部１２ａに係合する。押込み阻止用ロック装置５は、この係合によりロック状態となり、引出し３の押し込みを阻止して、引出し３を引出し限界位置Ａに保持する。引出し３を踏み台として利用するとき、引出し３は、前記押込み阻止用ロック装置５（５）で引出し限界位置Ａに保持され且つ設置床面Ｆにキャスター６が当接するので、踏み板７に乗っても押し込み方向や上下方向へ移動することもなく、安全に利用することができる。また、引出し３の内側の収納部３ｆを利用するときには、踏み板７を開閉して収納部３ｆから収納物を出し入れする。
【００２７】
利用の終わった引出し３をキャビネット本体２の内側へ押し込んで格納するときには、図２に示す押込み阻止用ロック装置５のロック解除操作部１４ｄを指先で自重に抗して持ち上げて揺動部材１４を非係合状態へ揺動させてロック状態を解除し、その後に引出し３を若干押し込んでストッパ１２の案内部１２ｂに揺動部材１４を案内できる状態にしたならば、ロック解除操作部１４ｄから指先を離し、続けて引出し３を更に押し込んで格納を終わる。このように、引出し３の上方から両手を延ばして指先が露出しているロック解除操作部１４ｄに確実に且つ容易に掛かり、不自然な姿勢を取ることなく容易にロックを解除でき、引出し３を若干押し込んで指先を離すことにより指先を挟む恐れもなく引出し３をキャビネット本体２へ押し込んで格納させることができるので、使い勝手がよい。
【００２８】
（第２の実施の形態）
図６乃至図８は本発明キャビネットの第２の実施の形態を示すものであり、図６は手前の引き出し限界位置Ａまで引出し３を引き出した状態を部分破断して示す右側面図、図７は押込み阻止用ロック装置３５を拡大して示す右側面図、図８は別態様の押込み阻止用ロック装置３５を拡大して示す右側面図である。
【００２９】
本実施の形態に係る本発明キャビネット２１は、前記第１の実施の形態に係る前記本発明キャビネット１と相違する点が左右の押込み阻止用ロック装置３５であり、その他の構成については本発明キャビネット１と実質的に同一であり、同一符号は同一部材等を示している。
【００３０】
前記押込み阻止用ロック装置３５は、図６に示す如く、引出し３の側板３ａ（又は３ｂ）に取着したロック部材３１と、キャビネット本体２の側板２ａ（又は２ｂ）に取着したストッパ１２とを別体に備えている。ロック部材３１は、引出し３の側板３ａ（又は３ｂ）にビス１５等で取着した板状の支持部材２３と、支持部材２３に上下揺動自在に支持軸１６で軸支されて自重で奥側の一方の係合部２４ａを係合方向である下方へ付勢する揺動部材２４とを有している。
【００３１】
前記ロック部材３１は、図６に示す如く、揺動部材２４の手前寄りに設けた軸受孔２４ｃに、支持部材２３から突設する支持軸１６を挿通させ、支持軸１６の先端に設けた鍔部と支持部材２３とで軸受孔２４ｃの周縁を挟むようにすると共に、同様に、揺動部材２４に設けた揺動範囲規制用の長孔２４ｂに、支持部材２３から突設する揺動規制ピン１８を挿通させ、揺動規制ピン１８の先端に設けた鍔部と支持部材２３とで長孔２４ｂの周縁を挟むようにして、揺動部材１４が振れることなく非係合状態Ｄから係合状態Ｃまで円滑に揺動するように構成してある。
【００３２】
また、前記ロック部材１１は、揺動部材２４の手前上縁に形成した外折り曲げ片等からなるロック解除操作部２４ｄが設けられ、ロック解除操作部２４ｄを使用者の指先で押し下げることにより、揺動部材２４を非係合状態Ｃへ向かって揺動するようになっている。なお、揺動部材２４は、図７に示す如く、支持軸１６と揺動規制ピン１８の間における支持軸１６寄りに、上縁に形成した外折り曲げ片等からなるロック解除操作部２４ｄを設け、ロック解除操作部２４ｄを使用者の指先で持ち上げることにより、揺動部材２４を非係合状態Ｃへ向かって揺動するように形成することもある。このようにロック部材３１は、ロック解除操作部２４ｄを押し下げ又は持ち上げる簡単な操作でロック解除操作ができるようにすることで、操作性の向上を図っている。
【００３３】
上記ストッパ１２は、引出し３が手前へ引き出されているときに揺動部材２４を非係合状態で案内すると共に、引出し３が引出し限界位置Ａに達したとき（図６参照）に該案内を解除する案内部１２ｂと、該案内の解除に伴い自重で係合方向へ揺動する揺動部材２４の一方の係合部２４ａを係合させる他方の係合部１２ａとを形成したものである。
【００３４】
利用の終わった引出し３をキャビネット本体２の内側へ押し込んで格納するときには、押込み阻止用ロック装置３５のロック解除操作部２４ｄを指先で下方へ押し下げ（図７に示す場合）又はロック解除操作部２４ｄを指先で持ち上げ（図８に示す場合）て揺動部材２４を非係合状態Ｃへ揺動させてロック状態を解除し（図６中実線で示す状態）、その後に引出し３を若干押し込んでストッパ１２の案内部１２ｂに揺動部材２４を案内できる状態にしたならば、ロック解除操作部２４ｄから指先を離し、続けて引出し３を更に押し込んで格納を終わる。このように、引出し３の上方から両手を延ばして指先が露出しているロック解除操作部２４ｄに確実に且つ容易に掛かり、不自然な姿勢を取ることなく容易にロックを解除でき、引出し３を若干押し込んで指先を離すことにより指先を挟む恐れもなく引出し３をキャビネット本体２へ押し込んで格納させることができるので、使い勝手がよい。
【図面の簡単な説明】
【００３５】
【図１】本発明キャビネットの第１の実施の形態を示す部分破断した正面図である。
【図２】同実施の形態において、手前の引き出し限界位置まで引出しを引き出した状態を部分破断して示す右側面図である。
【図３】同実施の形態において、引出しの引き出し途中の状態を部分破断して示す右側面図である。
【図４】同実施の形態において、引出しを格納位置まで押し込んだ状態を部分破断して示す右側面図である。
【図５】同実施の形態における押込み阻止用ロック装置を拡大して示すものであって、（Ａ）は平面図、（Ｂ）は右側面図、（Ｃ）は（Ｂ）のｃ−ｃ線における拡大断面図、（Ｄ）は（Ｂ）のｄ−ｄ線における拡大断面図である。
【図６】本発明キャビネットの第２の実施の形態を示すものであり、手前の引き出し限界位置まで引出しを引き出した状態を部分破断して示す右側面図である。
【図７】同実施の形態における押込み阻止用ロック装置を拡大して示す右側面図である。
【図８】同実施の形態における別態様の押込み阻止用ロック装置を拡大して示す右側面図である。
【符号の説明】
【００３６】
２…キャビネット本体、２ａ（又は２ｂ）…側板、３…引出し、３ａ（又は３ｂ）…側板、４…スライドレール、５…押込み阻止用ロック装置、Ａ…引出し限界位置
【図１】
2006346156.tif 000003
【図２】
2006346156.tif 000004
【図３】
2006346156.tif 000005
【図４】
2006346156.tif 000006
【図５】
2006346156.tif 000007
【図６】
2006346156.tif 000008
【図７】
2006346156.tif 000009
【図８】
2006346156.tif 000010